(57)【特許請求の範囲】
【請求項１】
冷媒を圧縮する圧縮機と、冷媒を凝縮する室外熱交換器と、冷媒を膨張させる膨張手段と、冷媒を蒸発させて室内を冷却する複数の第１室内熱交換器とを順次配管接続してなる冷却循環回路を構成するとともに、
前記圧縮機と、冷媒を凝縮させて室内を加熱する第２室内熱交換器と、前記膨張手段と、前記第１室内熱交換器とを順次配管接続してなる冷却加熱循環回路を構成した冷媒循環回路を有する自動販売機において、
前記室外熱交換器への冷媒の流れを阻止する態様で、前記室外熱交換器の出口部と前記膨張手段との間に第１逆止弁を設け、
前記第１室内熱交換器のみに接続する前記膨張手段の出口よりの管路にバイパス切替電磁弁を設け、当該バイパス切替電磁弁の一の出口部と前記室外熱交換器の入口部との間に第２逆止弁を介して第1バイパス管路を設けるとともに、
前記室外熱交換器の出口部と前記第１逆止弁とを接続する配管と前記圧縮機の入口部との間にバイパス電磁弁を介して第２バイパス管路を設けたことを特徴とする自動販売機。
【請求項２】
冷媒を圧縮する圧縮機と、冷媒を凝縮する室外熱交換器と、冷媒を膨張させる膨張手段と、冷媒を蒸発させて室内を冷却する複数の第１室内熱交換器とを配管接続してなる冷却循環回路を構成するとともに、
前記圧縮機と、冷媒を凝縮させて室内を加熱する第２室内熱交換器と、前記膨張手段と、冷媒を蒸発させて室内を冷却する前記第１室内熱交換器とを順次配管接続してなる冷却加熱循環回路を構成した冷媒循環回路を有する自動販売機において、
前記室外熱交換器への冷媒の流れを阻止する態様で、前記室外熱交換器の出口部と前記膨張手段との間に第１逆止弁と、
室外に冷媒を蒸発させる室外蒸発器とを設けるとともに、
前記第１室内熱交換器のみに接続する前記膨張手段の出口よりの管路にバイパス切替電磁弁を設け、当該バイパス切替電磁弁の一の出口部と前記室外蒸発器の入口部との間に第３バイパス管路を設けるとともに、
前記室外蒸発器の出口部と前記圧縮機の入口部との間に第４バイパス管路を設けたことを特徴とする自動販売機。
【請求項３】
前記バイパス切替電磁弁の入口部が第１室内熱交換器の出口部に接続したことを特徴とする請求項１または２に記載の自動販売機。
【発明の詳細な説明】
【技術分野】
【０００１】
本発明は、缶、ビン、パック、ペットボトル等の容器に入れた飲料等の商品を冷却または加熱して販売に供する自動販売機に関する。
【背景技術】
【０００２】
近年の地球温暖化に対して二酸化炭素の排出量削減が課題となっており、自動販売機も省エネ型が開発されている。その１方式として従来は排熱していた凝縮器の熱を室内の加熱に利用するヒートポンプ方式の自動販売機が注目されている（例えば、特許文献１参照）。
【０００３】
この方式での自動販売機では、室内、室外の各熱交換器に複数の電磁弁を設け、電磁弁を切り替えることにより、室内の熱交換器を凝縮器として作用をさせてヒートポンプ運転を行う。例えば、２室を加熱、1室を冷却する設定モードの場合には、室外の熱交換器を休止させ、加熱する室内の熱交換器を凝縮器として作用させ、冷却する室内の熱交換器を蒸発器として作用させるように電磁弁の開閉を切り替えることで冷却加熱のヒートポンプ運転を行う。
【０００４】
特許文献１に対して、室外熱交換器（熱源側熱交換器）に膨張器（膨張弁）を介したバイパス管路を設けた自動販売機が知られている（例えば、特許文献２参照）。この自動販売機では、２室を加熱、1室を冷却する設定モードで運転中に冷却する室内が適温となり、運転モードが加熱単独運転となったときに、室外熱交換器を蒸発器と使用することで、加熱単独のヒートポンプ運転を行うことができるので、消費電力が低減される。
【先行技術文献】
【特許文献】
【０００５】
【特許文献１】特開２００１−１０９９４２号公報
【特許文献２】特開２００５−１０７７６４号公報
【発明の概要】
【発明が解決しようとする課題】
【０００６】
しかしながら、特許文献２に記載された自動販売機では、バイパス管路に膨張器（膨張弁）を設けることで、電気ヒータによる加熱運転を行う自動販売機と比較してコスト高となるヒートポンプ運転を行う自動販売機をさらにコストアップさせるという問題があった。
【０００７】
本発明は、上記実情に鑑みなされたもので、上記の課題を解決して、冷却加熱の運転モードに関わらず低コストで効率良くヒートポンプ運転を行う自動販売機等を提供することを目的とする。
【課題を解決するための手段】
【０００８】
上記の目的を達成するために、本発明の請求項１に係る自動販売機は、冷媒を圧縮する圧縮機と、冷媒を凝縮する室外熱交換器と、冷媒を膨張させる膨張手段と、冷媒を蒸発させて室内を冷却する複数の第１室内熱交換器とを順次配管接続してなる冷却循環回路を構成するとともに、前記圧縮機と、冷媒を凝縮させて室内を加熱する第２室内熱交換器と、前記膨張手段と、前記第１室内熱交換器とを順次配管接続してなる冷却加熱循環回路を構成した冷媒循環回路を有する自動販売機において、前記室外熱交換器への冷媒の流れを阻止する態様で、前記室外熱交換器の出口部と前記膨張手段との間に第１逆止弁を設け、前記第１室内熱交換器のみに接続する前記膨張手段の出口よりの管路にバイパス切替電磁弁を設け、当該バイパス切替電磁弁の一の出口部と前記室外熱交換器の入口部との間に第２逆止弁を介して第1バイパス管路を設けるとともに、前記室外熱交換器の出口部と前記第１逆止弁とを接続する配管と前記圧縮機の入口部との間にバイパス電磁弁を介して第２バイパス管路を設けたことを特徴とする。
【０００９】
本発明の請求項２に係る自動販売機は、冷媒を圧縮する圧縮機と、冷媒を凝縮する室外熱交換器と、冷媒を膨張させる膨張手段と、冷媒を蒸発させて室内を冷却する複数の第１室内熱交換器とを配管接続してなる冷却循環回路を構成するとともに、前記圧縮機と、冷媒を凝縮させて室内を加熱する第２室内熱交換器と、前記膨張手段と、冷媒を蒸発させて室内を冷却する前記第１室内熱交換器とを順次配管接続してなる冷却加熱循環回路を構成した冷媒循環回路を有する自動販売機において、前記室外熱交換器への冷媒の流れを阻止する態様で、前記室外熱交換器の出口部と前記膨張手段との間に第１逆止弁と、室外に冷媒を蒸発させる室外蒸発器とを設けるとともに、前記第１室内熱交換器のみに接続する前記膨張手段の出口よりの管路にバイパス切替電磁弁を設け、当該バイパス切替電磁弁の一の出口部と前記室外蒸発器の入口部との間に第３バイパス管路を設けるとともに、前記室外蒸発器の出口部と前記圧縮機の入口部との間に第４バイパス管路を設けたことを特徴とする。
【００１０】
本発明の請求項３に係る自動販売機は、請求項１または２に記載の自動販売機において、前記バイパス切替電磁弁の入口部が第１室内熱交換器の出口部に接続したことを特徴とする。
【発明の効果】
【００１１】
本発明に係る請求項１の自動販売機は、室外熱交換器への冷媒の流れを阻止する態様で、室外熱交換器の出口部と膨張手段との間に第１逆止弁を設け、第１室内熱交換器のみに接続する膨張手段の出口よりの管路にバイパス切替電磁弁を設け、当該バイパス切替電磁弁の一の出口部と室外熱交換器の入口部との間に第２逆止弁を介して第1バイパス管路を設けるとともに、室外熱交換器の出口部と第１逆止弁とを接続する配管と圧縮機の入口部との間にバイパス電磁弁を介して第２バイパス管路を設けたことにより、運転モードが加熱単独運転時に室外熱交換器にて冷媒を蒸発することができるので、ヒートポンプ運転が可能となる結果、消費電力を少なくすることができるとともに、室外熱交換器にて蒸発させる冷媒を膨張する膨張器を冷却運転時に使用する膨張器と兼用するので、低コストでヒートポンプ運転を行うことができる。
【００１２】
本発明に係る請求項２の自動販売機は、室外熱交換器への冷媒の流れを阻止する態様で、室外熱交換器の出口部と膨張手段との間に第１逆止弁と、室外に冷媒を蒸発させる室外蒸発器とを設けるとともに、第１室内熱交換器のみに接続する膨張手段の出口よりの管路にバイパス切替電磁弁を設け、当該バイパス切替電磁弁の一の出口部と室外蒸発器の入口部との間に第３バイパス管路を設けるとともに、室外蒸発器の出口部と圧縮機の入口部との間に第４バイパス管路を設けたことにより、運転モードが加熱単独運転時に室外蒸発器にて冷媒を蒸発することができるので、ヒートポンプ運転が可能となる結果、消費電力を少なくすることができるとともに、室外蒸発器にて蒸発させる冷媒を膨張する膨張器を冷却運転時に使用する膨張器と兼用するので、低コストでヒートポンプ運転を行うことができる。さらに、室外蒸発器の容量を室内第２熱交換器の容量に対応させて設けることができるので、さらに効率よく加熱単独のヒートポンプ運転を行うことができる。
【図面の簡単な説明】
【００１３】
【図１】本発明の実施例１に係る自動販売機を示す斜視図。
【図２】図１に示した自動販売機の断面図。
【図３】本発明の実施例１に係る冷媒回路図。
【図４】本発明の実施例１に係る制御装置のブロック図。
【図５】実施例１に係る、３室を全て冷却する冷却単独運転における冷媒の流れを示す冷媒回路図。
【図６】実施例１に係る、２室を加熱し１室を冷却するヒートポンプ運転における冷媒の流れを示す冷媒回路図。
【図７】実施例１に係る、１室を休止し２室を加熱する加熱単独運転における冷媒の流れを示す冷媒回路図。
【図８】本発明の実施例２に係る冷媒回路図。
【図９】実施例２に係る、２室を加熱し１室を冷却するヒートポンプ運転における冷媒の流れを示す冷媒回路図。
【図１０】実施例２に係る、１室を休止し２室を加熱する加熱単独運転における冷媒の流れを示す冷媒回路図。
【図１１】本発明の実施例３に係る冷媒回路図。
【図１２】実施例３に係る、１室を加熱し２室を冷却するヒートポンプ運転における冷媒の流れを示す冷媒回路図。
【図１３】実施例３に係る、１室を休止し２室を加熱する加熱単独運転における冷媒の流れを示す冷媒回路図。
【図１４】本発明の実施例４に係る冷媒回路図。
【図１５】実施例４に係る、２室を加熱し１室を冷却するヒートポンプ運転における冷媒の流れを示す冷媒回路図。
【図１６】実施例４に係る、１室を休止し２室を加熱する加熱単独運転における冷媒の流れを示す冷媒回路図。
【発明を実施するための形態】
【００１４】
（実施例１）
以下に添付図面を参照して、本発明に係る自動販売機における冷媒回路の好適な実施例１を詳細に説明する。なお、この実施例１によりこの発明が限定されるものではない。
【００１５】
図１の斜視図、図２の断面図、図３の冷媒回路図において、自動販売機は、前面が開口した直方状の断熱体として形成された本体キャビネット１０と、その前面に設けられた外扉２０および内扉３０（３０ａ，３０ｂ）と、本体キャビネット１０の内部を上下２段に底板１１にて区画形成し、上部を例えば２つの断熱仕切板４０ｗによって仕切られた３つの独立した商品収納室４０ａ、４０ｂ、４０ｃと、下部に商品収納室４０ａ、４０ｂ、４０ｃを冷却もしくは加熱する冷却／加熱ユニット６０を収納する機械室５０と、外扉２０の内側に配設され、商品収納室４０ａ、４０ｂ、４０ｃ内の温度センサＴａ、Ｔｂ、Ｔｃにより自動販売機の冷却、加熱運転などを制御する制御手段９０と、を有して構成されている。
【００１６】
より詳細に説明すると、外扉２０は、本体キャビネット１０の前面開口を開閉するためのものであり、図には明示していないが、この外扉２０の前面には、販売する商品の見本を展示する商品展示室、販売する商品を選択するための選択ボタン、貨幣を投入するための貨幣投入口、払い出された商品を取り出すための商品取出口２１等々、商品の販売に必要となる構成が配置してある。
【００１７】
内扉３０（３０ａ，３０ｂ）は、商品収納室４０ａ、４０ｂ、４０ｃの前面を開閉し、内部の商品を保温するものであり、上下２段に分割され内部に断熱体を有する箱型形状の構造体である。上側の内扉３０ａは、一端を外扉２０に軸支し、他端を外扉２０に係着して、外扉２０の開放と同時に上側の内扉３０ａを開放させて、商品の補充を容易にするものである。下側の内扉３０ｂは、一端を本体キャビネット１０に軸支し、他端を本体キャビネット１０に不図示の掛金にて掛着して、外扉２０を開放したときには、閉止した状態であり、商品収納室４０ａ、４０ｂ、４０ｃ内の冷却もしくは加熱した空気が流出することを防ぎ、メンテナンス時など必要に応じて開放できるものである。
【００１８】
商品収納室４０ａ、４０ｂ、４０ｃは、缶入り飲料やペットボトル入り飲料等の商品を所望の温度に維持した状態で収容するためのものであり、その収納室の容量は商品収納室４０ａ、４０ｃ、４０ｂの順番に大きな態様で配分されている。本実施例１は、商品収納室４０ａを冷却専用とし、商品収納室４０ｂ、４０ｃを冷却加熱兼用としている。その商品収納室４０ａ、４０ｂ、４０ｃには、それぞれ、商品を上下方向に沿って並ぶ態様で収納し、販売信号により1個ずつ商品を排出するための商品搬出機構を備えた商品収納ラックＲ、排出された商品Ｓを内扉３０ｂに取設された搬出扉３１を介して外扉の商品取出口２１へ搬出する商品搬出シュート４２を有している。
【００１９】
冷却／加熱ユニット６０は、機械室５０内に圧縮機６１、室外熱交換器６２、膨張器（膨張手段）６３ａ、６３ｂ、６３ｃ、アキュムレータ６９、室外補助熱交換器７６を取設し、底板１１を跨いで室内に蒸発器（第１室内熱交換器）６５ａ、室内熱交換器（第１室内熱交換器、第２室内熱交換器を兼用する）６５ｂ、６５ｃを有して各機器を冷媒配管で接続されることにより構成されている。冷却／加熱ユニット６０は、冷却加熱の設定モードに応じて、室内に冷却または加熱した空気を循環させて商品収納ラックＲ内の商品Ｓを冷却または加熱するものである。
【００２０】
冷却加熱用の圧縮機６１は、冷媒を圧縮して回路内を循環させるためのもので、冷却単独運転時には、蒸発温度が約−１０℃、凝縮温度が約４０℃で使用され、冷却加熱運転時には、蒸発温度が約−１０℃、凝縮温度が約７０℃で使用される。
【００２１】
室外熱交換器６２は、フィンチューブ型の熱交換器であり、冷却運転時に余剰な凝縮熱を排出するためのものであり、加熱単独運転時には蒸発器を兼用する。室外熱交換器６２の後部にはファン６２ｆが取設され、ファン６２ｆは機械室５０の前面開口部より空気を吸入し、室外熱交換器６２による凝縮熱を吸入するとともに、圧縮機６１の排熱を吸収して、機械室５０の背面開口部へ排気するためのものである。
【００２２】
膨張器６３ａ、６３ｂ、６３ｃは、冷却運転時に通過する冷媒を減圧して断熱膨張させるものであり、たとえばキャピラリ、温度膨張弁、電子膨張弁である。
分流器（分配器）６４は、冷媒を蒸発器６５ａ，室内熱交換器６５ｂ、６５ｃに分配するためのものである。
【００２３】
蒸発器６５ａは、商品収納室４０ａを冷却するためのものであり、室内熱交換器６５ｂ、６５ｃは、商品収納室４０ｂ、４０ｃを冷却もしくは加熱するためのものである。また、蒸発器６５ａ、室内熱交換器６５ｂ、６５ｃは、各商品収納室の下部に取設され、風胴１６７で囲繞され、その後方にファン６５ｆが取設され、その後方にダクト１６７ｄが取設されている。商品収納室内の冷却と加熱は、蒸発器６５ａ、室内熱交換器６５ｂ、６５ｃにより冷却もしくは加熱された空気を商品収納室内の商品Ｓに送風し、図２中の矢印で示すようにダクト１６７ｄより循環回収することで行われる。
【００２４】
アキュムレータ６９は、蒸発器６５ａ，室内熱交換器６５ｂ、６５ｃから蒸発された冷媒を流入し、気液分離させて液冷媒を貯留し、気体冷媒を圧縮機６１に戻すための密閉した容器である。また、アキュムレータ６９は、回路の冷媒循環に余った冷媒を貯留するための容器でもある。
【００２５】
室外補助熱交換器７６は、フィンチューブ型の熱交換器であり、加熱運転時に余剰な凝縮熱を排出するためのものである。
室内の温度センサＴａ、Ｔｂ、Ｔｃは、商品収納室４０ａ、４０ｂ、４０ｃ内の風胴１６７の上面に取設され、商品収納室４０ａ、４０ｂ、４０ｃの室内温度を検知するためのものである。
【００２６】
凝縮器電磁弁６８は、圧縮機６１から吐出される冷媒を室外熱交換器６２または室内熱交換器６５ｂ、６５ｃへ流れを切替えるための３方電磁弁である。加熱器電磁弁６８ｂ、６８ｃは、圧縮機６１と室内熱交換器６５ｂ、６５ｃ間の圧縮された冷媒の通路を開閉するものである。第１の冷却器入口電磁弁７０ａ，第２の冷却器入口電磁弁７０ｂ，７０ｃは分流器６４と蒸発器６５ａ、室内熱交換器６５ｂ、６５ｃ間の膨張された冷媒の通路を開閉するものであり、冷却器出口電磁弁７２ｂ，７２ｃは、室内熱交換器６５ｂ、６５ｃと圧縮機６１と間の蒸発された冷媒の通路を開閉するものである。
【００２７】
逆止弁７１ｂ、７１ｃは、図３に示すようにそれぞれ膨張器６３ｂ、６３ｃと加熱器電磁弁６８ｂ、６８ｃとの間に接続され、加熱器電磁弁６８ｂ、６８ｃからの高圧冷媒を膨張器６３ｂ、６３ｃに流れることを阻止するためのものである。
【００２８】
第１逆止弁７９は、室外熱交換器６２の出口部と分流器６４の入口部（室外補助熱交換器７６と分流器６４との接続点１７６）との間に設けて、室外熱交換器６２への冷媒の流れを阻止するためのものである。
【００２９】
第１バイパス管路８０は、加熱単独運転時に室外熱交換器６２に冷媒を流して蒸発器として使用するためのものであり、膨張器６３ａと蒸発器６５ａ間に接続されたバイパス切替電磁弁８３の一の出口から室外熱交換器６２の入口部とを接続する管路である。また、第１バイパス管路８０には第２逆止弁８１が接続されている。
【００３０】
第２逆止弁８１は、凝縮器電磁弁６８より第１バイパス管路８０に流入する冷媒を阻止するためのものである。
バイパス切替電磁弁８３は、加熱単独運転時に室外熱交換器６２に冷媒をバイパス側に流し、他の運転モード時には主流側の蒸発器６５ａへ冷媒を流す態様で冷媒の流れを切り替えるための３方電磁弁である。バイパス切替電磁弁８３の入口は冷却専用である膨張器６３ａと接続し、バイパス切替電磁弁８３の一の出口は蒸発器６５ａに他の出口は第１バイパス管路８０と接続している。
【００３１】
第２バイパス管路８５は、加熱単独運転時に室外熱交換器６２にて蒸発した冷媒を圧縮機６１へ戻すためのものであり、室外熱交換器６２と第１逆止弁７９との接続点１８５と、集合器６７とアキュムレータ６９との接続点１８６とを接続する管路である。また、第２バイパス管路８５には、第２バイパス管路８５へ冷媒の流入出を制御するバイパス電磁弁８６が接続されている。
【００３２】
冷却／加熱ユニット６０の冷媒回路構成について、図３を参照しつつ詳述する。冷媒回路は、室内を冷却のみを行う冷却単独回路（冷却循環回路）６０Ａと、室内の冷却加熱を同時に行う冷却加熱回路（冷却加熱循環回路）６０Ｂと、室内を加熱のみを行う加熱単独回路６０Ｃと、を有している。なお、図中の点線の囲いは、冷却専用の商品収納室４０ａと、冷却加熱兼用の商品収納室４０ｂ、４０ｃを模式的に示している。
【００３３】
冷却単独回路６０Ａは、圧縮機６１より、凝縮器電磁弁６８、室外熱交換器６２、第１逆止弁７９を経由して分流器６４に接続し、分流器より一方は第１の冷却器入口電磁弁７０ａ、膨張器６３ａ、バイパス切替電磁弁８３、蒸発器６５ａを経由して集合器６７に接続し、また、分流器６４より他方は第２の冷却器入口電磁弁７０ｂ、７０ｃ、膨張器６３ｂ、６３ｃ、室内熱交換器６５ｂ、６５ｃ、冷却器出口電磁弁７２ｂ、７２ｃを経由して集合器６７に接続し、集合器６７よりアキュムレータ６９を経由して圧縮機６１に戻る回路である。
【００３４】
一方、冷却加熱回路６０Ｂには、冷却単独回路６０Ａに加えて、凝縮器電磁弁６８の一の出口より並列接続された加熱器電磁弁６８ｂ、６８ｃを介して、逆止弁７１ｂ、７１ｃと室内熱交換器６５ｂ、６５ｃ入口側との接続点１６８ｂ、１６８ｃとそれぞれ接続し、また、室内熱交換器６５ｂ、６５ｃの出口側（図中右側）からそれぞれ逆止弁７１，７１を介して結合した後、室外補助熱交換器７６を経由して分流器６４へ接続する管路とが設けられている。
【００３５】
しかして、冷却加熱回路６０Ｂは、圧縮機６１から凝縮器電磁弁６８、加熱器電磁弁６８ｂ、６８ｃを経由して室内熱交換器６５ｃ、６５ｂに接続され、室内熱交換器６５ｃ、６５ｂから逆止弁７１、７１、室外補助熱交換器７６を経由して分流器６４に接続され、分流器６４から第１の冷却器入口電磁弁７０ａ、膨張器６３ａ、バイパス切替電磁弁８３を経由して蒸発器６５ａに接続され、集合器６７、アキュムレータ６９を経由して圧縮機６１に戻る回路である。
【００３６】
また、加熱単独回路６０Ｃは、冷却加熱循環回路６０Ｂに加えて、バイパス切替電磁弁８３より、第２逆止弁８１を経由して室外熱交換器６２の入口部とを接続する第１バイパス管路８０と、接続点１８５よりバイパス電磁弁８６を介して接続点１８６と接続する第２バイパス管路８５を有している。
【００３７】
しかして、加熱単独回路６０Ｃは、圧縮機６１から凝縮器電磁弁６８、加熱器電磁弁６８ｂ、６８ｃを経由して室内熱交換器６５ｃ、６５ｂに接続され、室内熱交換器６５ｃ、６５ｂから逆止弁７１、７１、室外補助熱交換器７６を経由して分流器６４に接続され、分流器６４より第１の冷却器入口電磁弁７０ａ、膨張器６３ａ、バイパス切替電磁弁８３より第２逆止弁８１を経由して室外熱交換器６２に接続され、室外熱交換器６２よりバイパス電磁弁８６、アキュムレータ６９を経由して圧縮機６１に戻る回路である。
【００３８】
制御手段９０は、商品収納室４０ａ、４０ｂ、４０ｃを冷却加熱の設定モード、運転モードにより冷却もしくは加熱の制御をするものである。図４に示すように内部にＣＰＵ、メモリを有し、冷却加熱モード設定ＳＷ９１の設定モードおよび各室の温度状況による運転モードに応じて冷媒回路の圧縮機運転、電磁弁開閉などの制御を行う。冷却加熱の設定モードは、商品収納室４０ａ、４０ｂ、４０ｃの冷却もしくは加熱の運転をＣ、Ｈで示すものであり、商品収納室の左側から（４０ａ、４０ｂ、４０ｃ）順に、例えば、すべてが冷却の場合にはＣＣＣモード、右の商品収納室のみが加熱の場合にはＣＣＨモードなどと記す。運転モードは、各室の温度状況により冷却、加熱、休止をそれぞれＣ、Ｈ、−で示すものであり、冷却加熱の設定モードと同様に商品収納室の左側から順に、例えば、左の商品収納室の冷却が適温となり、中、右の商品収納室のみが加熱の場合には−ＨＨモードなどと記す。なお、制御手段９０は、室内の温度センサＴａ、Ｔｂ、Ｔｃにより検知した温度により、圧縮機６１、凝縮器電磁弁６８、第１の冷却器入口電磁弁７０ａ、第２の冷却器入口電磁弁７０ｂ、７０ｃ、冷却器出口電磁弁７２ｂ、７２ｃ、加熱器電磁弁６８ｂ、６８ｃなどを制御し、室内を一定温度範囲内でＯＮ・ＯＦＦ制御するサーモサイクル運転を行うことにより室内温度を適温に維持する。
【００３９】
かかる構成で冷却加熱モード設定ＳＷ９１の操作により設定モードをＣＣＣモードに設定すると、制御手段９０は第１の冷却器入口電磁弁７０ａ、第２の冷却器入口電磁弁７０ｂ、７０ｃ、冷却器出口電磁弁７２ｂ、７２ｃを開成し、加熱器電磁弁６８ｂ、６８ｃ、バイパス電磁弁８６を閉止し、凝縮器電磁弁６８を冷媒が室外熱交換器６２側に流通する態様で、バイパス切替電磁弁８３を冷媒が蒸発器６５ａ側に流通する態様に通路切替えを行う。このとき、冷媒は図５の太線で示すように流れ、具体的には、圧縮機６１で圧縮された高温冷媒は、凝縮器電磁弁６８を介して室外熱交換器６２にて凝縮され液体となり、分流器６４で三方に分流され第１の冷却器入口電磁弁７０ａ、第２の冷却器入口電磁弁７０ｂ、７０ｃを介して膨張器６３ａ、６３ｂ、６３ｃで膨張して低温の気液二相流となり、蒸発器６５ａ、室内熱交換器６５ｂ、６５ｃに流入する。流入した冷媒は、蒸発器６５ａ、室内熱交換器６５ｂ、６５ｃで蒸発して商品収納室４０ａ、４０ｂ、４０ｃを冷却し、蒸発した冷媒は集合器６７にて集合しアキュムレータ６９を介して気液分離されて、気相が圧縮機６１に戻る。なお、この冷却は、制御装置９０にて室内の温度センサＴａ、Ｔｂ、Ｔｃによるサーモサイクル運転により室内温度が適温に制御される。
【００４０】
次に、冷却加熱モード設定ＳＷ９１の操作により設定モードを左側の商品収納室４０ａを冷却し、中、右側の商品収納室４０ｂ、４０ｃを加熱するＣＨＨモードに設定すると、制御手段９０は、加熱器電磁弁６８ｂ、６８ｃ、第１の冷却器入口電磁弁７０ａを開成し、第２の冷却器入口電磁弁７０ｂ、７０ｃ、冷却器出口電磁弁７２ｂ、７２ｃ、バイパス電磁弁８６を閉止し、凝縮器電磁弁６８を冷媒が加熱器電磁弁６８ｂ、６８ｃ側に流通する態様で、バイパス切替電磁弁８３を冷媒が蒸発器６５ａ側に流通する態様に通路切替えを行う。このとき圧縮機６１で圧縮された高温冷媒は、図６の太線で示すように、凝縮器電磁弁６８、加熱器電磁弁６８ｂ、６８ｃ、接続点１６８ｂ、１６８ｃを経由して室内熱交換器６５ｂ、６５ｃに流入する。室内熱交換器６５ｂ、６５ｃに流入した冷媒は凝縮して商品収納室４０ｂ、４０ｃを加熱し、逆止弁７１，７１を介して集合し、室外補助熱交換器７６でさらに凝縮して分流器６４、第１の冷却器入口電磁弁７０ａを経由して膨張器６３ａに流入する。膨張器６３ａに流入した冷媒は、膨張して低温低圧の気液二相流となり、バイパス切替電磁弁８３を介して蒸発器６５ａに流入する。蒸発器６５ａに流入した冷媒は、蒸発して商品収納室４０ａを冷却し、集合器６７、アキュムレータ６９を経由して圧縮機６１に戻る。このヒートポンプ運転も前述のようにサーモサイクル運転で室内が適温に維持される。
【００４１】
なお、このとき、制御手段９０がバイパス電磁弁８６を開成させると、接続点１８６の圧力が低圧であるので、室外熱交換器６２内に貯留する冷媒は、図中の矢印で示すように冷媒循環回路内のアキュムレータ６９に回収されるので、回路内に適正な冷媒循環量が保持される。
【００４２】
そして、商品収納室４０ａが適温に冷却されると、制御手段９０は、商品収納室４０ｂ、４０ｃの加熱単独の運転モード（−ＨＨモード）を行う。具体的には、制御手段９０は、加熱器電磁弁６８ｂ、６８ｃ、第１の冷却器入口電磁弁７０ａ、バイパス電磁弁８６を開成し、第２の冷却器入口電磁弁７０ｂ、７０ｃ、冷却器出口電磁弁７２ｂ、７２ｃを閉止し、凝縮器電磁弁６８を冷媒が加熱器電磁弁６８ｂ、６８ｃ側に流通する態様で、バイパス切替電磁弁８３を冷媒が第１バイパス管路８０側に流通する態様に通路切替えを行う。このとき圧縮機６１で圧縮された高温冷媒は、図７の太線で示すように、凝縮器電磁弁６８、加熱器電磁弁６８ｂ、６８ｃ、接続点１６８ｂ、１６８ｃを経由して室内熱交換器６５ｂ、６５ｃに流入する。室内熱交換器６５ｂ、６５ｃに流入した冷媒は凝縮して商品収納室４０ｂ、４０ｃを加熱し、逆止弁７１，７１を介して集合し、室外補助熱交換器７６でさらに凝縮して分流器６４、第１の冷却器入口電磁弁７０ａを経由して膨張器６３ａに流入する。膨張器６３ａに流入した冷媒は、膨張して低温低圧の気液二相流となり、バイパス切替電磁弁８３、第１バイパス管路８０を経由して室外熱交換器６２に流入する。室外熱交換器６２に流入した冷媒は、蒸発して室外に冷熱を放出して、バイパス電磁弁８６、アキュムレータ６９を介して圧縮機６１に戻る。
【００４３】
このように、室外熱交換器６２への冷媒の流れを阻止する態様で、室外熱交換器６２の出口部と膨張器６３ａの間に第１逆止弁７９を設け、膨張器６３ａの出口よりの管路にバイパス切替電磁弁８３を設け、当該バイパス切替電磁弁８３の一の出口部と室外熱交換器６２の入口部との間を第２逆止弁８１を介して第1バイパス管路を設けるとともに、室外熱交換器６２の出口部と第１逆止弁７９とを接続する配管と圧縮機６１の入口部との間にバイパス電磁弁８６を介して第２バイパス管路８５を設けたことにより、運転モードが加熱単独運転時に室外熱交換器６２にて冷媒を蒸発することができるので、ヒートポンプ運転が可能となる結果、消費電力を少なくすることができるとともに、室外熱交換器６２にて蒸発させる冷媒を膨張する膨張手段を冷却加熱運転時に使用する膨張器６３ａと兼用するので、低コストでヒートポンプ運転を行うことができる。
【００４４】
なお、上述の説明は、冷却加熱の設定モードをＣＨＨモードで説明をしたが、加熱を１室の商品収納室で行うＣＣＨモード、ＣＨＣモードでも同様な効果が得られる。また、上述の説明は、２室の商品収納室を冷却加熱兼用とした自動販売機で説明をしたが、１室のみの商品収納室を冷却加熱兼用とした自動販売機でも同様な効果が得られる。
【００４５】
（実施例２）
実施例２は、請求項３に関する自動販売機に係り、実施例１と比較すると図８に示すようにバイパス切替電磁弁８３ａの入口部が蒸発器（第１室内熱交換器）６５ａの出口部に相当する集合器６７に接続し、一の出口部を第２バイパス管路８５の出口の接合点１８６と接続した点である。その他は、実施例１と同一であるので、その詳細な説明は省略をする。
【００４６】
かかる構成で、冷却加熱モード設定ＳＷ９１の操作により設定モードを左側の商品収納室４０ａを冷却し、中、右側の商品収納室４０ｂ、４０ｃを加熱するＣＨＨモードに設定すると、制御手段９０は、加熱器電磁弁６８ｂ、６８ｃ、第１の冷却器入口電磁弁７０ａを開成し、第２の冷却器入口電磁弁７０ｂ、７０ｃ、冷却器出口電磁弁７２ｂ、７２ｃ、バイパス電磁弁８６を閉止し、凝縮器電磁弁６８を冷媒が加熱器電磁弁６８ｂ、６８ｃ側に流通する態様で、バイパス切替電磁弁８３ａを冷媒が蒸発器６５ａ側に流通する態様に通路切替えを行う。このとき圧縮機６１で圧縮された高温冷媒は、図９の太線で示すように、凝縮器電磁弁６８、加熱器電磁弁６８ｂ、６８ｃ、接続点１６８ｂ、１６８ｃを経由して室内熱交換器６５ｂ、６５ｃに流入する。室内熱交換器６５ｂ、６５ｃに流入した冷媒は凝縮して商品収納室４０ｂ、４０ｃを加熱し、逆止弁７１，７１を介して集合し、室外補助熱交換器７６でさらに凝縮して分流器６４、第１の冷却器入口電磁弁７０ａを経由して膨張器６３ａに流入する。膨張器６３ａに流入した冷媒は、膨張して低温低圧の気液二相流となり、蒸発器６５ａに流入する。蒸発器６５ａに流入した冷媒は、蒸発して商品収納室４０ａを冷却し、集合器６７、バイパス切替電磁弁８３ａ、アキュムレータ６９を経由して圧縮機６１に戻る。このヒートポンプ運転も前述のようにサーモサイクル運転で室内が適温に維持される。
【００４７】
なお、このとき、制御手段９０がバイパス電磁弁８６を開成させると、接続点１８６の圧力が低圧であるので、室外熱交換器６２内に貯留する冷媒は、図中の矢印で示すように冷媒循環回路内のアキュムレータ６９に回収されるので、回路に適正な冷媒循環量が保持される。
【００４８】
そして、商品収納室４０ａが適温に冷却されると、制御手段９０は、商品収納室４０ｂ、４０ｃの加熱単独の運転モード（−ＨＨモード）を行う。具体的には、制御手段９０は、加熱器電磁弁６８ｂ、６８ｃ、第１の冷却器入口電磁弁７０ａ、バイパス電磁弁８６を開成し、第２の冷却器入口電磁弁７０ｂ、７０ｃ、冷却器出口電磁弁７２ｂ、７２ｃを閉止し、凝縮器電磁弁６８を冷媒が加熱器電磁弁６８ｂ、６８ｃ側に流通する態様で、バイパス切替電磁弁８３ａを冷媒が第１バイパス管路８０側に流通する態様に通路切替えを行う。このとき圧縮機６１で圧縮された高温冷媒は、図１０の太線で示すように、凝縮器電磁弁６８、加熱器電磁弁６８ｂ、６８ｃ、接続点１６８ｂ、１６８ｃを経由して室内熱交換器６５ｂ、６５ｃに流入する。室内熱交換器６５ｂ、６５ｃに流入した冷媒は凝縮して商品収納室４０ｂ、４０ｃを加熱し、逆止弁７１，７１を介して集合し、室外補助熱交換器７６でさらに凝縮して分流器６４、第１の冷却器入口電磁弁７０ａを経由して膨張器６３ａに流入する。膨張器６３ａに流入した冷媒は、膨張して低温低圧の気液二相流となり、蒸発器６５ａ、集合器６７を経由してバイパス切替電磁弁８３ａの入口部に流入する。なお、蒸発器６５ａ内での冷媒の蒸発を抑制するため、蒸発器６５ａに送風するファン６５ｆを停止させる。そして、バイパス切替電磁弁８３ａに流入した冷媒は第１バイパス管路８０を経由して室外熱交換器６２に流入して蒸発して冷熱を室外に放出する。冷熱が放出された冷媒は、バイパス電磁弁８６、アキュムレータ６９を介して圧縮機６１に戻る。
【００４９】
上述のように、この構成により運転モードが加熱単独運転時に室外熱交換器６２にて冷媒を蒸発することができるので、ヒートポンプ運転が可能となる結果、消費電力を少なくすることができるとともに、室外熱交換器６２にて蒸発させる冷媒を膨張する膨張手段を冷却加熱運転時に使用する膨張器６３ａと兼用するので、低コストでヒートポンプ運転を行うことができる。
【００５０】
（実施例３）
実施例３は、請求項２に関する自動販売機に係り、実施例１と比較すると図１１に示すように、室外に冷媒を蒸発させる室外蒸発器８２を設け、第１バイパス管路８０、第２バイパス管路８５の代わりに、室外蒸発器８２の入口側、出口側に第３バイパス管路８０ａ、第４バイパス管路８５ａを設けた点である。また、相違点は３方弁で構成されるバイパス切替電磁弁８３の代わりに２個の電磁弁８４１，８４２を組み合わせて構成されるバイパス切替電磁弁８４と、冷媒の吸出し管路８９を設けた点である。その他は、実施例１と同一であるので、その詳細な説明は省略をする。
【００５１】
室外蒸発器８２は、機械室５０内の庫外熱交換器６２と室外補助熱交換器７６との間に配設されたフィンチューブ型の熱交換器であり、加熱単独運転時に余剰な蒸発熱を排出するためのものである。
【００５２】
バイパス切替電磁弁８４は、加熱単独運転時に室外蒸発器８２に冷媒をバイパス側に流し、他の運転モード時には主流側の蒸発器６５ａへ冷媒を流す態様で冷媒の流れを切り替えるための電磁弁であり、主流側への冷媒の流通を制御する電磁弁８４１とバイパス側への冷媒の流通を制御する電磁弁８４２により構成されている。具体的な構造は、膨張器６３ａと蒸発器６５ａとの間に電磁弁８４１が接続され、膨張器６３ａと電磁弁８４１との接続点１８４より電磁弁８４２が接続されている。この構造によりバイパス切替電磁弁８４は、入口が膨張器６３ａと接続し、一の出口が蒸発器６５ａに他の出口が第３バイパス管路８０ａと接続している。
【００５３】
第３バイパス管路８０ａは、加熱単独運転時に室外蒸発器８２に冷媒を流して蒸発器として使用するための管路であり、バイパス切替電磁弁８３の電磁弁８４２の出口から室外蒸発器８２の入口部とを接続する管路である。
【００５４】
第４バイパス管路８５ａは、加熱単独運転時に室外蒸発器８２にて蒸発した冷媒を圧縮機６１へ戻すためのものであり、室外蒸発器８２とアキュムレータ６９とを接続する管路である。
【００５５】
電磁弁８６ａは、第４バイパス管路８５ａとアキュムレータ６９とを接続する接続点１８６ａと、集合器６７との間に接続された電磁弁である。
吸出し管路８９は、室外熱交換器６２ａと第１逆止弁７９とを接続する接続点１８５と、集合器６７と電磁弁８６ａとを接続する接続点１８９との間に接続された管路であり、管路中に吸出し電磁弁８９ｖを設けてある。吸出し管路８９は、室外熱交換器６２ａに滞留している冷媒を冷媒回路に戻すためのものである。
【００５６】
かかる構成で、冷却加熱モード設定ＳＷ９１の操作により設定モードを左側の商品収納室４０ａを冷却し、中、右側の商品収納室４０ｂ、４０ｃを加熱するＣＨＨモードに設定すると、制御手段９０は、加熱器電磁弁６８ｂ、６８ｃ、第１の冷却器入口電磁弁７０ａ、電磁弁８４１、電磁弁８６ａを開成し、第２の冷却器入口電磁弁７０ｂ、７０ｃ、冷却器出口電磁弁７２ｂ、７２ｃ、電磁弁８４２、吸出し電磁弁８９ｖを閉止し、凝縮器電磁弁６８を冷媒が加熱器電磁弁６８ｂ、６８ｃ側に流通する態様で通路切替えを行う。する。このとき圧縮機６１で圧縮された高温冷媒は、図１２の太線で示すように、凝縮器電磁弁６８、加熱器電磁弁６８ｂ、６８ｃ、接続点１６８ｂ、１６８ｃを経由して室内熱交換器６５ｂ、６５ｃに流入する。室内熱交換器６５ｂ、６５ｃに流入した冷媒は凝縮して商品収納室４０ｂ、４０ｃを加熱し、逆止弁７１，７１を介して集合し、室外補助熱交換器７６でさらに凝縮して分流器６４、第１の冷却器入口電磁弁７０ａを経由して膨張器６３ａに流入する。膨張器６３ａに流入した冷媒は、膨張して低温低圧の気液二相流となり、電磁弁８４１を介して蒸発器６５ａに流入する。蒸発器６５ａに流入した冷媒は、蒸発して商品収納室４０ａを冷却し、集合器６７、電磁弁８６ａ、アキュムレータ６９を経由して圧縮機６１に戻る。このヒートポンプ運転も前述のようにサーモサイクル運転で室内が適温に維持される。
【００５７】
なお、このとき、制御手段９０が吸出し電磁弁８９ｖを開成させると、接続点１８９の圧力が低圧であるので、室外熱交換器６２内に貯留する冷媒は、図中の矢印で示すように冷媒循環回路内のアキュムレータ６９に回収されるので、回路内に適正な冷媒循環量が保持される。
【００５８】
そして、商品収納室４０ａが適温に冷却されると、制御手段９０は、商品収納室４０ｂ、４０ｃの加熱単独の運転モード（−ＨＨモード）を行う。具体的には、制御手段９０は、加熱器電磁弁６８ｂ、６８ｃ、第１の冷却器入口電磁弁７０ａ、電磁弁８４２を開成し、第２の冷却器入口電磁弁７０ｂ、７０ｃ、冷却器出口電磁弁７２ｂ、７２ｃ、電磁弁８４１、電磁弁８６ａ、吸出し電磁弁８９ｖを閉止し、凝縮器電磁弁６８を冷媒が加熱器電磁弁６８ｂ、６８ｃ側に流通する態様で通路切替えを行う。このとき圧縮機６１で圧縮された高温冷媒は、図１３の太線で示すように、凝縮器電磁弁６８、加熱器電磁弁６８ｂ、６８ｃ、接続点１６８ｂ、１６８ｃを経由して室内熱交換器６５ｂ、６５ｃに流入する。室内熱交換器６５ｂ、６５ｃに流入した冷媒は凝縮して商品収納室４０ｂ、４０ｃを加熱し、逆止弁７１，７１を介して集合し、室外補助熱交換器７６でさらに凝縮して分流器６４、第１の冷却器入口電磁弁７０ａを経由して膨張器６３ａに流入する。膨張器６３ａに流入した冷媒は、膨張して低温低圧の気液二相流となり、接続点１８４より電磁弁８４２、第３バイパス管路８０ａを経由して室外蒸発器８２に流入する。室外蒸発器８２に流入した冷媒は、蒸発して室外に冷熱を放出して、第４バイパス管路８５ａ、アキュムレータ６９を介して圧縮機６１に戻る。
【００５９】
このように、室外熱交換器６２の出口部と膨張器６３ａとの間に第１逆止弁７９と、室外に冷媒を蒸発させる室外蒸発器８２とを設けるとともに、蒸発器（第１室内熱交換器）６５ａのみに接続する膨張手段６３ａの出口よりの管路にバイパス切替電磁弁８４を設け、当該バイパス切替電磁弁８４の一の出口部と室外蒸発器８２の入口部との間に第３バイパス管路８０ａを設けるとともに、室外蒸発器８２の出口部と圧縮機６１の入口部との間に第４バイパス管路８５ａを設けたことにより、運転モードが加熱単独運転時に室外蒸発器８２にて冷媒を蒸発することができるので、ヒートポンプ運転が可能となる結果、消費電力を少なくすることができるとともに、室外蒸発器８２にて蒸発させる冷媒を膨張する膨張器を冷却運転時に使用する膨張器６３ａと兼用するので、低コストでヒートポンプ運転を行うことができる。さらに、室外蒸発器８２の容量を室内第２熱交換器６５ｂ、６５ｃの容量に対応させて設けることができるので、さらに効率よく加熱単独のヒートポンプ運転を行うことができる。
【００６０】
（実施例４）
実施例４は、請求項３に関する自動販売機に係り、実施例３と比較すると図１４に示すようにバイパス切替電磁弁８４の代わりにバイパス切替電磁弁８４ａの入口部が第１室内熱交換器の出口部にあたる集合器６７に接続し、一の出口部を第２バイパス管路の出口の接合点１８６ａと接続した点である。その他は、実施例１と同一であるので、その詳細な説明は省略をする。
【００６１】
かかる構成で、冷却加熱モード設定ＳＷ９１の操作により設定モードを左側の商品収納室４０ａを冷却し、中、右側の商品収納室４０ｂ、４０ｃを加熱するＣＨＨモードに設定すると、制御手段９０は、加熱器電磁弁６８ｂ、６８ｃ、第１の冷却器入口電磁弁７０ａ、電磁弁８４１、電磁弁８６ａを開成し、第２の冷却器入口電磁弁７０ｂ、７０ｃ、冷却器出口電磁弁７２ｂ、７２ｃ、バイパス電磁弁８６、電磁弁８４２、吸出し電磁弁８９ｖを閉止し、凝縮器電磁弁６８を冷媒が加熱器電磁弁６８ｂ、６８ｃ側に流通する態様で通路切替えを行う。このとき圧縮機６１で圧縮された高温冷媒は、図１５の太線で示すように、凝縮器電磁弁６８、加熱器電磁弁６８ｂ、６８ｃ、接続点１６８ｂ、１６８ｃを経由して室内熱交換器６５ｂ、６５ｃに流入する。室内熱交換器６５ｂ、６５ｃに流入した冷媒は凝縮して商品収納室４０ｂ、４０ｃを加熱し、逆止弁７１，７１を介して集合し、室外補助熱交換器７６でさらに凝縮して分流器６４、第１の冷却器入口電磁弁７０ａを経由して膨張器６３ａに流入する。膨張器６３ａに流入した冷媒は、膨張して低温低圧の気液二相流となり、蒸発器６５ａに流入する。蒸発器６５ａに流入した冷媒は、蒸発して商品収納室４０ａを冷却し、集合器６７、電磁弁８４１、電磁弁８６ａ、アキュムレータ６９を経由して圧縮機６１に戻る。このヒートポンプ運転も前述のようにサーモサイクル運転で室内が適温に維持される。
【００６２】
なお、このとき、制御手段９０が吸出し電磁弁８９ｖを開成させると、接続点１８９の圧力が低圧であるので、室外熱交換器６２内に貯留する冷媒は、図中の矢印で示すように冷媒循環回路内のアキュムレータ６９に回収されるので、回路内に適正な冷媒循環量が保持される。
【００６３】
そして、商品収納室４０ａが適温に冷却されると、制御手段９０は、商品収納室４０ｂ、４０ｃの加熱単独の運転モード（−ＨＨモード）を行う。具体的には、制御手段９０は、加熱器電磁弁６８ｂ、６８ｃ、第１の冷却器入口電磁弁７０ａ、電磁弁８４２を開成し、第２の冷却器入口電磁弁７０ｂ、７０ｃ、冷却器出口電磁弁７２ｂ、７２ｃ、電磁弁８４１、電磁弁８６ａ、吸出し電磁弁８９ｖを閉止し、凝縮器電磁弁６８を冷媒が加熱器電磁弁６８ｂ、６８ｃ側に流通する態様で通路切替えを行う。このとき圧縮機６１で圧縮された高温冷媒は、図１６の太線で示すように、凝縮器電磁弁６８、加熱器電磁弁６８ｂ、６８ｃ、接続点１６８ｂ、１６８ｃを経由して室内熱交換器６５ｂ、６５ｃに流入する。室内熱交換器６５ｂ、６５ｃに流入した冷媒は凝縮して商品収納室４０ｂ、４０ｃを加熱し、逆止弁７１，７１を介して集合し、室外補助熱交換器７６でさらに凝縮して分流器６４、第１の冷却器入口電磁弁７０ａを経由して膨張器６３ａに流入する。膨張器６３ａに流入した冷媒は、膨張して低温低圧の気液二相流となり、蒸発器６５ａに流入する。なお、蒸発器６５ａ内での冷媒の蒸発を抑制するため、蒸発器６５ａに送風するファン６５ｆを停止させる。そして、蒸発器６５ａより流出する冷媒は、集合器６７、電磁弁８４２を経由して第３バイパス管路８０ａから室外蒸発器８２に流入する。室外蒸発器８２に流入した冷媒は、蒸発して冷熱を室外に放出して、第４バイパス管路８５ａ、アキュムレータ６９を介して圧縮機６１に戻る。
【００６４】
上述のようにこの構成により、運転モードが加熱単独運転時に室外蒸発器８２にて冷媒を蒸発することができるので、ヒートポンプ運転が可能となる結果、消費電力を少なくすることができるとともに、室外蒸発器８２にて蒸発させる冷媒を膨張する膨張器を冷却運転時に使用する膨張器６３ａと兼用するので、低コストでヒートポンプ運転を行うことができる。さらに、室外蒸発器８２の容量を室内第２熱交換器６５ｂ、６５ｃの容量に対応させて設けることができるので、さらに効率よく加熱単独のヒートポンプ運転を行うことができる。
【産業上の利用可能性】
【００６５】
以上のように、本発明に係る冷媒回路は、缶、ビン、パック、ペットボトル等の容器に入れた飲料等の商品を冷却または加熱して販売する自動販売機に適している。
【符号の説明】
【００６６】
１０    本体キャビネット
２０    外扉
３０（３０ａ，３０ｂ）    内扉
４０ａ、４０ｂ、４０ｃ    商品収納室
６０    冷却／加熱ユニット
６１    圧縮機
６２    室外熱交換器
６３ａ、６３ｂ、６３ｃ    膨張器
６４    分流器（分配器）
６５ａ    蒸発器（第１室内熱交換器）
６５ｂ、６５ｃ    室内熱交換器（第１および第２室内熱交換器）
６８    凝縮器電磁弁
６８ａ、６８ｂ    加熱器電磁弁
６９    アキュムレータ
７０ａ    第１の冷却器入口電磁弁
７０ｂ、７０ｃ    第２の冷却器入口電磁弁
７２ｂ、７２ｃ    冷却器出口電磁弁
７６    室外補助熱交換器
７９    第１逆止弁
８０    第１バイパス管路
８０ａ    第３バイパス管路
８１    第２逆止弁
８２    室外蒸発器
８３、８３ａ    バイパス切替電磁弁
８４、８４ａ    バイパス切替電磁弁
８５    第２バイパス管路
８５ａ    第４バイパス管路
８６    バイパス電磁弁
９０    制御装置
９１    設定モード選択ＳＷ
【図１】
0005471563.tif 000002
【図２】
0005471563.tif 000003
【図３】
0005471563.tif 000004
【図４】
0005471563.tif 000005
【図５】
0005471563.tif 000006
【図６】
0005471563.tif 000007
【図７】
0005471563.tif 000008
【図８】
0005471563.tif 000009
【図９】
0005471563.tif 000010
【図１０】
0005471563.tif 000011
【図１１】
0005471563.tif 000012
【図１２】
0005471563.tif 000013
【図１３】
0005471563.tif 000014
【図１４】
0005471563.tif 000015
【図１５】
0005471563.tif 000016
【図１６】
0005471563.tif 000017